(57)【要約】【課題】  ２ｘ１リブ組織の状態から複数の編目列を移動することを繰り返し、効率よく内増やしや内減らしが行える編成方法を提供する。【解決手段】２ｘ１リブ組織の基本パターンを構成する編目Ａ，Ｂ，Ｃ，Ｄを前針床の第１針に編目Ａと第３針に編目Ｄ、後針床の第１針に編目Ｂと第２針に編目Ｃを針床上の所定区間の針に対して繰り返し配置して、その区間の任意の編目位置を定めて内増やしまたは内減らしの境界とし、境界の左右どちらかに、編目Ａと編目Ｄを第１グループ、編目Ｂと編目Ｃを第２グループとしたときに空針を用いて、一方のグループの目移しを先行し、目移しを行う各編目は順次、連続した１往復の目移しを行って、目移し前に係止していた隣りの編針に移動するステップと、他方のグループの目移しを順次行い、目移しを行う各編目は順次、連続した１往復の目移しを行って、目移し前に係止していた隣りの編針に移動するステップを行なう。【選択図】図１
2010248636.tif 000002
【特許請求の範囲】
【請求項１】
前後一対の針床を有し、前後の針床間で目移しとラッキングが可能な横編機を用いた２ｘ１リブ組織の内増やしまたは内減らしの編成方法であって、前後針床の各３針の計６針からなる針群のうち、２ｘ１リブ組織の基本パターンを構成する編目Ａ，Ｂ，Ｃ，Ｄを前針床の第１針に編目Ａと第３針に編目Ｄ、後針床の第１針に編目Ｂと第２針に編目Ｃを配置し、前針床の第２針と後針床の第３針を空針とした時に、この基本パターンを針床上の所定区間の針に対して繰り返し配置して、その区間の任意の編目位置を定めて内増やしまたは内減らしの境界とし、境界の左右どちらかに以下のステップを含むことを特徴とする２ｘ１リブ組織の内増やしまたは内減らしの編成方法；
編目Ａと編目Ｄを第１グループ、編目Ｂと編目Ｃを第２グループとしたときに
基本パターンを含めた針群のうちの空針を用いて、どちらか一方のグループの目移しを先行し、目移しを行う各編目は順次、連続した１往復の目移しを行って、目移し前に係止していた隣りの編針に移動するステップ。
他方のグループの目移しを順次行い、目移しを行う各編目は順次、連続した１往復の目移しを行って、目移し前に係止していた隣りの編針に移動するステップ。
【請求項２】
前記第１グループの目移し順を、編目Ａ、編目Ｄとしたときに、前記第２グループの目移し順を、編目Ｃ、編目Ｂとし、
前記第１グループの目移し順を、編目Ｄ、編目Ａとしたときに、前記第２グループの目移し順を、編目Ｂ、編目Ｃとすることを特徴とする請求項１ に記載の２ｘ１リブ組織の内増やしまたは内減らしの編成方法。
【発明の詳細な説明】
【技術分野】
【０００１】
本発明は、横編機により２ｘ１リブ組織の内増やしや内減らしが行える編成方法に関する。
【背景技術】
【０００２】
編幅を広げたり狭めたりする成型編みにおいては、目移しとラッキングにより編目の移し替えが行われて編幅の増減が行われる。文献１ではゴム（リブ）編地での増目を形成する際に、編幅の外側に位置する編目から順次１目ずつ外側に移動する方法が示されている。増やしには、編地端の適宜ウエール数の編目列を編幅外側へと移動させ、この過程で発生する空針に編目を形成して編幅を広げる内増やしがある。また減らしにおいても、編地端の適宜ウエール数の編目列を編幅内側へと移動させる内減らしがある。いずれの場合も編目列を移動させる必要があり、文献１の場合には移動したい編目列分の空針が無い為、一括での移動をさせられず、１目ずつの目移しを行う必要がある。つまり、編目列分の目移しが必要となる。
【先行技術文献】
【特許文献】
【０００３】
【特許文献１】特開平１１−２２２７５０号公報
【発明の概要】
【発明が解決しようとする課題】
【０００４】
１ｘ１リブや２ｘ２リブでは、組織上、針床に係止する編目に対向する針床には空針が存在し、その空針を使って編目列として一括して目移しが行える為、効率の良い内増やしや内減らしが行える。しかしながら、２ｘ１リブでは、針床に係止する編目に対向する針床には編目分の空針が存在せず、内増やしの場合には、文献１と同様に編幅の外側に位置する編目を空針として順次１目ずつ外側に移動する方法を行う必要がある。内減らしの場合には、重ね目を設けて空針を準備し、その空針を使って順次１目ずつ内側に移動する方法を行う必要がある。
【０００５】
図５は、２ｘ１リブ組織での従来の１目ずつの目移しを行うステップを示す。Ｓ０〜Ｓ５は編成ステップである。また、図中において、升目は編針を、Ａ〜Ｄは２ｘ１リブ組織の基本パターンの編目を、黒点は空針を、白丸は係止する編目を示す。編目を結ぶ線は渡り糸を示し、矢印は目移しを示し、さらに符号１〜３の数字は前後各針床の第１針、第２針、第３針を示し、構成された針群６を太線で囲んでいる。これらの表示は、後述する図２〜図４にも適応する。針群６を２ｘ１リブの１柄とし、１柄分の移動をする際には、増減する１針につきＳ１〜Ｓ４の４ステップの目移しが必要であり、端部より複数の基本パターン分、内側で増減する内増やしや内減らしで柄の見栄え（繋がりが崩れない）を良くすることを考えると１柄を構成する第１針、第２針、第３針の３針単位で増減する必要がある。例えば、端部から５柄内側で減らしを行う場合には、４ステップ（１針分）ｘ３針（１柄分）ｘ５柄の減らしで、１編成コースで目移しコースが６０ステップ必要となってしまう。
本発明では、２ｘ１リブ組織の内増やしや内減らしが、空針を使った編目列単位の目移しを行い、目移しコースを減らすことで効率良く編成できる方法を提供することを目的とする。
【課題を解決するための手段】
【０００６】
本発明の編成方法は、前後一対の針床を有し、前後の針床間で目移しとラッキングが可能な横編機を用いた２ｘ１リブ組織の内増やしまたは内減らしの編成方法であって、前後針床の各３針の計６針からなる針群のうち、２ｘ１リブ組織の基本パターンを構成する編目Ａ，Ｂ，Ｃ，Ｄを前針床の第１針に編目Ａと第３針に編目Ｄ、後針床の第１針に編目Ｂと第２針に編目Ｃを配置し、前針床の第２針と後針床の第３針を空針とした時に、この基本パターンを針床上の所定区間の針に対して繰り返し配置して、その区間の任意の編目位置を定めて内増やしまたは内減らしの境界とし、境界の左右どちらかに以下のステップを含むことを特徴とする。
編目Ａと編目Ｄを第１グループ、編目Ｂと編目Ｃを第２グループとしたときに
基本パターンを含めた針群のうちの空針を用いて、どちらか一方のグループの目移しを先行し、目移しを行う各編目は順次、連続した１往復の目移しを行って、目移し前に係止していた隣りの編針に移動するステップ。
他方のグループの目移しを行い、目移しを行う各編目は順次、連続した１往復の目移しを行って、目移し前に係止していた隣りの編針に移動するステップ。
【０００７】
本発明の編成方法は、第１グループの目移し順を、編目Ａ、編目Ｄとしたときに、前記第２グループの目移し順を、編目Ｃ、編目Ｂとし、
前記第１グループの目移し順を、編目Ｄ、編目Ａとしたときに、前記第２グループの目移し順を、編目Ｂ、編目Ｃとすることを特徴とする。
【発明の効果】
【０００８】
本発明の編成方法によれば、空針を使い、基本パターンの編目毎に複数の編目を同時に目移しすることを繰り返すことで、目移しコースを減らすことができ、効率の良い内増やしや内減らしを行うことが可能となる。
【０００９】
さらに本発明の編成方法によれば、グループの目移し順を、編目Ａ、編目Ｄに対し編目Ｃ、編目Ｂとし、編目Ｄ、編目Ａに対し編目Ｂ、編目Ｃとすることで、ラッキングの移動量を少なくでき、編糸への引っ張り負荷を減らすことが可能となる。
【図面の簡単な説明】
【００１０】
【図１】本発明の実施例としての２ｘ１リブ組織を有する身頃を概略的に示す図である。
【図２】本発明の実施例の２×１リブ組織の基本パターンが針床上に展開された状態を示す。
【図３】本発明の実施例１を横編機で編成する際の編成ステップを概略的に示す図である。
【図４】本発明の実施例２を横編機で編成する際の編成ステップを概略的に示す図である。
【図５】従来の編成ステップの概略を示す図である。
【発明を実施するための形態】
【００１１】
次に、本発明の好適な実施の形態を図面に基づいて詳細を説明する。この実施形態では、後針床が左右にラッキング可能で、前後の針床間で目移しが可能な２枚ベッド横編機で、図１に示すような内増やしと内減らしを有する２ｘ１リブ組織を有する身頃１０を編成する例を説明する。
【実施例１】
【００１２】
図１は２ｘ１リブ組織を有する身頃を示している。裾部１６から肩部１７に向けて編成し、編成の途中で、内増やしや内減らしを行う部分では増目や重ね目によるダーツと、斜め方向に伸びる２ｘ１リブ組織と編幅の増減を可能とする。ラインＸ−Ｘ上のダーツ１１とダーツ１３は内減らしによるもの、ラインＹ−Ｙ上のダーツ１２とダーツ１４は内増やしによるものである。
【００１３】
図２は２ｘ１リブ組織の基本パターン５を複数並べ、針床上での状態を示すものである。図中に示している符号１〜３の数字は前後各針床の第１針、第２針、第３針を示し、構成された針群６を太線で囲む。Ａ〜Ｄは２ｘ１リブ組織の基本パターンを構成する編目を示し、編目Ａ〜Ｄをレイアウトされた針群６が針床上で連続して並んでいる。
【００１４】
図３は、図１で示すラインＸ−Ｘ上のダーツ１１を含む編地を編成するステップを概略的に示す図である。また図中の表記は図５と同じであり、加えて、黒丸は新たに形成した編目を、二重丸は重ね目を示す。説明に使用する編目の数は実際よりも少ない。
【００１５】
図３では、基本パターンである編目Ａ、編目Ｂ、編目Ｃ、編目Ｄを左端から順次編成し、左から順に第１パターン、第２パターン、第３パターン、第４パターンとして、編成を行っている。その第２パターンの編目Ｄまでを移動する編目列とし、第３パターンの編目Ａより右側を移動しない編目列とした上で、その間を境界とし右側に移動する。
Ｓ０では、右方向に向けて基本パターンの各編目Ａ，Ｂ，Ｃ，Ｄに順次給糸して第１パターンから第４パターンを編成している。この場合、向かい合う編目Ａと編目Ｂがあり、同時に針を使っても干渉しないよう針０．５本分後針床を右にずれた状態で編成する。Ｓ１では、後針床の編目Ｃを編目Ａ，Ｄ間の空針に目移しする。Ｓ２では、後針床を前針床に対し針１本分（１Ｐ）左方向にラッキングし、Ｓ１で前針床に目移しした編目Ｃを移動前の後針床の位置の右隣の空針に移し戻しをする。    
【００１６】
Ｓ３では、右に２Ｐラッキングし、後針床の編目Ｂを編目Ａ，Ｄ間の空針に目移しする。Ｓ４では、左に１Ｐラッキングし、Ｓ３で目移しした前針床の編目Ｂと、編目Ａを後針床の空針に目移しする。Ｓ５では、右に１Ｐラッキングし、Ｓ４で目移しした後針床の編目Ａを前針床の編目Ｄの左隣りに目移しする。Ｓ６では、左に２Ｐラッキングし、前針床の編目Ｄを後針床の編目Ｃ，Ｂ間の空針に目移しする。第２パターンの編目Ｄを後針床に目移しを行う際に、第３パターンの編目Ｂが移動せずに編針に係止されており、第３パターンの編目Ｂでは、編目Ｄとの重ね目となり、編目が１目減少する。
【００１７】
Ｓ７では、右に１Ｐラッキングし、Ｓ６で目移しした後針床の編目Ｄを前針床の空針に目移しする。第２パターンの編目Ｄを目移しする際にも、移動しない第３パターンの編目Ａが編針に係止されており、編目Ｄとの重ね目となり、編目が１目減少する。この段階で、第１パターン、第２パターンの各編目が右方向に針一本分の移動を行って、前後各１針の内減らしを完成している。この一連の編目の目移しでは、各編目は前後針床間で１往復の目移しを行っており、かつ、往路と復路のステップが連続している。目移しの行える空針が限られている為、なるべく目移しを行う編目に近い空針を使い、基本パターンの位置に早く戻すことで、渡り糸の交差を防いで見栄えを損なうことをさけている。基本パターンの目移し順としては、編目Ｃ、編目Ｂ、編目Ａ、編目Ｄとなっており、同じ針床の編目Ｃと編目Ｂ、編目Ａと編目Ｄが続けて行われている。
【００１８】
Ｓ８では、第４パターンの編目Ｄから第１パターンの編目Ａに向けて編成する。第３パターンの編目Ａと編目Ｂが無くなり、右方向に針１本分の移動となっている。更にその後、Ｓ１〜Ｓ７と同様に７ステップによる前後各１針の内減らしを２回行なう。この一連の目移しにより、Ｓ９では、２回目の内減らしとして重ね目を形成して第２パターンの編目Ｄを１目減らし、Ｓ１０では、３回目の内減らしとして、第２パターンの編目Ｃを１目減らしている。前後各３針分の内減らしを行うことで、２ｘ１リブの１柄を減らして、３柄が２柄となるような柄が崩れず綺麗に繋がる減らしとすることが出来る。
【実施例２】
【００１９】
図４は、図１で示すラインＹ−Ｙ上のダーツ１２を編成する際の編成ステップを概略的に示す図であり、増目を形成する内増やしを示す。実施例１と重複する内容については、簡易的に示し、場合により省略する。図中の表記も図４と同じであるが、Ｖ字は掛目を示している。
Ｓ０は、実施例１と同様の条件で構成している。右方向に向けて基本パターンの各編目Ａ，Ｂ，Ｃ，Ｄに順次給糸して第１パターンから第４パターンを編成している。Ｓ１では、後針床を前針床に対し針１本分右に１Ｐラッキングし、後針床の編目Ｂを編目Ａ，Ｄ間の空針に目移しする。Ｓ２では、更に右に１Ｐラッキングし、Ｓ１で前針床に目移しした編目Ｂを移動前の後針床の位置の左隣の空針に移し戻しをする。    
【００２０】
Ｓ３では、左に２Ｐラッキングし、後針床の編目Ｃを編目Ａ，Ｄ間の空針に目移しする。Ｓ４では、右に１Ｐラッキングし、Ｓ３で目移しした前針床の編目Ｃと、編目Ｄを対向する後針床の空針に目移しする。Ｓ５では、左に１Ｐラッキングし、Ｓ４で目移しした後針床の編目Ｄを前針床の編目Ａの右隣りに目移しする。Ｓ６では、右に２Ｐラッキングし、前針床の編目Ａを後針床の編目Ｂの左隣りの空針に目移しする。Ｓ７では、左に１Ｐラッキングし、Ｓ６で目移しした後針床の編目Ａを前針床の空針に目移しする。第２パターンまでの編目Ａを後針床に目移しを行う際に、第３パターンの編目Ａより右側の編目は移動せずに編針に係止されており、第２パターンの編目Ｄと第３パターンの編目Ａ間に空針が１目形成され、Ｓ０の位置より左に１目分移動しており、前後各１針分の内増やしを完成している。Ｓ８では、Ｓ０の逆方向に、第４パターンの編目Ｄから第１パターンの編目Ａに向けての編成を行うが、途中で形成された空針に掛目を形成し、増目としている。
【００２１】
本実施例でも、Ｓ８の後にＳ１〜Ｓ７と同様に７ステップによる前後各１針分の内増やしを２回行う。Ｓ９では、Ｓ８で空針に掛目を設けた編目を編成して新たな編目Ａとし、形成された後針床の空針に新たな掛目を設けている。更にＳ１０では、同様にしてＳ９で空針に掛目を設けた編目を編成して、新たな編目Ｂとし、形成された前後針床の空針に新たな掛目を設けている。次編成によりこの掛目は新たな編目Ｃと編目Ｄとなり、基本パターンの編目の内増やしが完成する。実施例１と同様、基本パターンの各編目は、前後針床間で一往復分の目移しを行っており、かつ、往路と復路のステップが連続している。基本パターンの目移し順としては、編目Ｂ、編目Ｃ、編目Ｄ、編目Ａとなっており、同じ針床の編目Ｂと編目Ｃ、編目Ｄと編目Ａが続けて行われている。
【００２２】
両実施例では、第１パターンと第２パターンを移動しているが、更に多くのパターンで行ってもよく、その場合もステップを増やさず行える。１針分の移動が７ステップの目移しコースで行え、１柄の移動を考えても、１柄を構成する第１針、第２針、第３針の３針単位となる為、３倍の２１ステップの目移しコースで行える。基本パターン５柄分の編目列として移動しても２１ステップで対応でき、従来方法の６０ステップの目移しと比較しても、少ない目移しコースで効率良く編成することが出来る。
【００２３】
なお、両実施例とも、前針床の編目Ａ，Ｄを第１グループとし、後針床の編目Ｂ，Ｃを第２グループとした時、目移しを行う編目の順序が変わっても、必ずグループでまとまって行なっている。対向する空針を利用する際に、基本パターンを崩さずに行なう為であり、ラッキングの移動量も抑える為である。また、実施例では、後針床の編目Ｂ，Ｃを先行して目移しを行ったが、前針床の編目Ａ，Ｄを先行してもよく、実施例と同様に、前後対称とする動きで行なえばよい。具体的には、後針床の編目Ｃを先行する実施例１では、Ｓ１でラッキングを行なわないパターンを示しており、前針床の編目Ｄを対向する空針に目移しを行い、後の工程は、移動方向を左右逆にすればよい。目移し順としては、編目Ｄ、編目Ａ、編目Ｂ、編目Ｃとなる。更に、後針床の編目Ｂを先行する実施例２では、Ｓ１でラッキングを行なうパターンを示しており、前針床の編目Ａに対し、ラッキングを逆の右に行って対向する空針に目移しを行い、後の工程は移動方向を左右逆にすればよい。目移し順としては、編目Ａ、編目Ｄ、編目Ｃ、編目Ｂとなる。
【符号の説明】
【００２４】
５                        基本パターン
６                        針群
１０                      身頃    
１１，１２，１３，１４    ダーツ
１６                      裾部
１７                      肩部
【図１】
2010248636.tif 000003
【図２】
2010248636.tif 000004
【図３】
2010248636.tif 000005
【図４】
2010248636.tif 000006
【図５】
2010248636.tif 000007